(57)【要約】【課題】大根などの食材を最後まで残らず怪我することなくおろすことの出来る簡易おろし器である。【解決手段】  おろし板面のほぼ全体に無数の鋭い突起と一つの落とし込み穴を設けてあるような、通常の略直方体箱型のおろし器本体を想定し、おろし板の長手中央域に「く」の字もしくは大らかな孤を描いて細くくり抜いたスライド孔を穿設し。このおろし器本体は、それと組んでワンセットとして使用されるおろし補助板を。おろし器本体とは別に、分離した形で用意し、略円盤状のプレートの片面中心部に・盤面に垂直に起立する・手指でしっかりつまみ保持できる程の・少し太めの取っ手を形設し、反対側盤面の中心部に長さ２５ミリ程の丈夫なピンを、盤面に垂直に・即ち取っ手の真反対方向に、根元を埋設する形で取付ける。  ことを特徴とする食材を最後までおろし尽くす事ができるおろし器。【選択図】図１
2016002441.tif 000002
【特許請求の範囲】
【請求項１】
おろし板面のほぼ全体に無数の鋭い突起を設け、同じ板面の短手片端側に、すりおろされた食材を、下の受け容器に落とす落とし込み穴を設けたような、通常の略直方体箱型のおろし器本体を想定し、おろし板の長手中央域に「く」の字もしくは大らかな孤を描いて細くくり抜いたスライド孔を穿設するのだが、このおろし器本体は、それと組んでワンセットとして使用されるおろし補助盤を伴って一全体として成立するのであり、おろし補助盤は、おろし器本体とは別に、分離した形で用意されるのであって、厚さはおろし板面から上方に盛り上がっているおろし板の縁の高さ（深さ）未満であり、略円盤状のプレートの片面中心部に・盤面に垂直に起立し・手指でしっかりつまみ保持できる程の・少し太めの取っ手を形設し、反対側盤面の中心部に長さ約２５ミリ程の丈夫なピンを、盤面に垂直に・即ち取っ手の真反対方向に、根元を埋設する形で取付けるのであるが、更に取っ手とおろし補助盤との間に、おろし板の左右の長手縁に橋渡しできる長さを一部分として含む渡し掛けストッパーを設け、食材がほぼすりおろし尽くされた時、それ以降おろし補助盤がおろし板面に接触し無理にこすりつけられる事が無いように空間を保持することを特徴とする食材を最後までおろし尽くす事ができるおろし器。
【発明の詳細な説明】
【技術分野】
【０００１】  本発明は、食材を怪我すること無く、最後まで残らずおろし尽くせる簡易おろし器に関するものである。
【背景技術】
【０００２】  従来のおろし器は、完全に最後までおろしきれるおろし器はなかった。
本体ベース部の左右側壁部外側の凹型溝とおろし補助板フック左右袖の凸部を設け、最初は普通におろし、最後に前記凹型溝部と係合させ、前後にスライドさせると薄く小さくなった野菜を最後までおろせるおろし器。（特許文献１）や受け箱の上に、おろし部を設け中レールと、外レールと接続部で枠をおろし具の上、触れない程度の位置に、固定し、中レールと連動して前後に動くように、したものと、手持付押具で構成されている薬味安全おろし器（特許文献２）や短小の押さえピンを複数設けた抑え器具を使用した、おろし器（特許文献３）が知られている。
【先行技術文献】
【特許文献】
【０００３】
【特許文献１】  特開２０１２−０４５２６２号公報
【特許文献２】  特開平６−２２８６９号公報
【実用文献３】
実用新案３１１７６５０号公報
【発明の概要】
【発明が解決しようとする課題】
【０００４】  特許文献１では、小さくなった食材を最後まで怪我なくおろす為には、おろし部左右に設けた凸型部と凹型溝部とを係合させる必要があり複雑で、面倒であった。また、刃の交換や洗う手間や収納に手間がかかり、少人数の家庭では使用する事をためらっていた。
特許文献２では、小さな食材のみで、大根など大きな食材をおろす場合は、小さく切断する必要があり、効率が悪く使いにくく面倒であった。
実用文献３では、押さえ器具を使用するが、器具に設けたピンが短小で、食材を最後まで支えきれず、おろし器から外れ易くピンの長さと同等のおろし残りができた。
本発明は、以上の問題点を解決するためになされたものである。
【課題を解決するための手段】
【０００５】  おろし板面のほぼ全体に無数の鋭い突起を設け、同じ板面の短手の片端側に、すりおろされた食材を下の受け容器に落とす落とし込み穴を設けてあるような、おろし板を有する、通常の略直方体箱型のおろし器本体を想定し、おろし板の長手中央域に「く」の字もしくは大らかな孤を描いて細くくり抜いたスライ孔を穿設する。このおろし器本体は、それと組んでワンセットとして使用されるおろし補助盤を伴って一全体として成立する。おろし補助盤は、おろし器本体とは別に分離した形で用意され、厚さはおろし盤面から上方に盛り上がっているおろし板の縁の高さ（深さ）未満であり、略円盤状のプレートの片面中心部に・盤面に垂直に起立し、手指でしっかりつまみ保持できる程の・少し太めの取っ手を形設し、反対側盤面の中心部に長さ２５ミリ程の丈夫なピンを盤面に垂直に・即ち取っ手の真反対方向に、根元を埋設する形で取付ける。更に，取っ手とおろし補助盤との間に、おろし板の左右の長手縁に橋渡しできる長さを一部分として含む渡し掛けストッパーを設け、食材がほぼすりおろし尽くされた時、それ以降おろし補助盤がおろし板面に接触し無理にこすりつけられることがないように空間を保持する。
以上を特徴とする食材を最後までおろし尽くす事ができるおろし器である。
【発明の効果】
【０００６】  本発明は、補助盤に設けたピンを食材に刺し、おろし板や補助盤から食材が外れず、最後まで残らず、手指を怪我することなく安全におろせる手軽な簡易おろし器。
【図面の簡単な説明】
【０００７】
【図１】  本発明の一部であるスライド孔の特徴を示す斜視図
【図２】  本発明の一部であるおろし補助板を示す斜視図
【図３】  本発明の実施例を示す斜視図
【発明を実施するための形態】
【０００８】  以下、本発明の実施の形態を説明する。
おろし板面（１）のほぼ全体に無数の鋭い突起を設け、同じ板面の短手の片端側に、すりおろされた食材を下の受け容器に落とす落とし込み穴（９）を設けた様な、通常の略直方体箱型のおろし器本体（３）を想定し、おろし板（２）の長手中央域に「く」の字もしくは大らかな孤を描いて細くくり抜いたスライド孔（４）を穿設する。このおろし器本体（３）は、それと組んでワンセットとして使用されるおろし補助盤（５）を伴って一全体として成立する。おろし補助盤（５）は、おろし器本体（３）とは別に、分離した形で用意され、厚さはおろし板面（１）から上方に盛り上がっているおろし板（２）の縁の高さ（深さ）未満であり、略円盤状のプレートの片面中心部に・盤面（６）に垂直に起立し・手指でしっかりつまみ保持できる程の・少し太めの取っ手（７）を形設し、反対側盤面（６）の中心部に長さ２５ミリ程の丈夫なピン（８）を、盤面（６）に垂直に・即ち取っ手（７）の真反対方向に、根元を埋設する形で取付ける。取っ手（７）とおろし補助盤（５）との間に、おろし板（２）の左右の長手縁の橋渡しできる長さを一部分として含む渡し掛けストッパー（１０）を設け、食材がほぼすりおろし尽くされた時、それ以降おろし補助盤（５）がおろし板面（１）に接触し無理にこすりつけられる事が無いように空間を保持する。
本発明は、以上のような構成であり、以下、これの実際の使用形態を具体的に説明する。
本おろし器を使用する場合は、大根など大きな食材も、補助盤のピンに刺しておろすことが出来るが、補助盤を使用せず、小さくなるまで普通に円を描くように、おろすことで辛味を削減出来、まろやかな味におろす事が出来る。従来のおろし器では、ショウガやニンニク・おろし残った大根など小さくなった食材は最後まで完全におろすことは困難で、押さえのピンの長さだけ・おろし残っていたが本発明の補助盤のピンに突き刺し、スライド孔にそのピンの先端を挿入し、前後にスライドさせることで、おろし補助盤とおろし板面との間がすれすれまで接近し、食材を最後まで残り無く・完全におろし尽くせ、尚且つ手指の怪我や爪に傷を負うこと無く、コンパクトで手軽に、おろせる簡易おろし器である。大根などをおろす場合、円を描くようにおろすと殆どの食材は、まろやかに美味しくなることが確認だれている。
【符号の説明】
【０００９】  １  おろし板面  ２  おろし板  ３  おろし器本体  ４  スライド孔
５  おろし補助盤  ６  盤面  ７  取っ手  ８  ピン  ９  落とし込み穴
１０  渡し掛けストッパー
【図１】
2016002441.tif 000003
【図２】
2016002441.tif 000004
【図３】
2016002441.tif 000005